(57)【要約】【課題】簡易な構成ながらも、特定のロック対象のロック解除を規制することが可能なロック機構を提供する。【解決手段】ロック機構１のブレード２は、所定方向において互いに離間した第１ロック位置、第２ロック位置及び第３ロック位置に配置可能である。ブレード２は、第３ロック位置に配置されている場合は、第１係合部材３の移動を規制することによって第１ロック対象であるプラグ１３１をロックするとともに、第２係合部材４を移動可能とすることによって第２ロック対象であるバッテリーボックス１５０のロックを解除可能とするように構成されている。操作部材８は、操作を受け付けていない場合は、第３ロック位置へのブレード２の移動を規制する一方で、操作を受け付けた場合は、第３ロック位置へのブレード２の移動の規制を解除する。【選択図】図３
2018131764.tif 000002
【特許請求の範囲】
【請求項１】
第１ロック対象及び第２ロック対象をロックするロック機構であって、
入力に基づいて所定方向に移動するブレードと、
前記第１ロック対象と係合し、前記第１ロック対象から離れるように移動することによって係合を解除する第１係合部材と、
前記第２ロック対象と係合し、前記第２ロック対象から離れるように移動することによって係合を解除する第２係合部材と、
外部からの操作を受け付ける操作部材と、を備え、
前記ブレードは、
前記所定方向において互いに離間した第１ロック位置、第２ロック位置及び第３ロック位置に配置可能であり、
前記第１ロック位置に配置されている場合は、前記第１係合部材を移動可能とすることによって前記第１ロック対象のロックを解除可能とするとともに、前記第２係合部材の移動を規制することによって前記第２ロック対象をロックし、
前記第２ロック位置に配置されている場合は、前記第１係合部材及び前記第２係合部材の移動を規制することによって前記第１ロック対象及び前記第２ロック対象をロックし、
前記第３ロック位置に配置されている場合は、前記第１係合部材の移動を規制することによって前記第１ロック対象をロックするとともに、前記第２係合部材を移動可能とすることによって前記第２ロック対象のロックを解除可能とするように構成され、
前記操作部材は、
操作を受け付けていない場合は、前記第３ロック位置への前記ブレードの移動を規制し、
操作を受け付けた場合は、前記第３ロック位置への前記ブレードの移動の規制を解除する、ロック機構。
【請求項２】
前記ブレードは、第１当接部及び第２当接部が形成され、
前記第１当接部は、前記ブレードが前記第２ロック位置に配置されている場合及び前記第３ロック位置に配置されている場合に、前記第１係合部材と当接することによって前記第１係合部材の移動を規制し、
前記第２当接部は、前記ブレードが前記第１ロック位置に配置されている場合及び前記第２ロック位置に配置されている場合に、前記第２係合部材と当接することによって前記第２係合部材の移動を規制する、請求項１に記載のロック機構。
【請求項３】
前記ブレードは、第１切欠部及び第２切欠部が形成され、
前記第１切欠部は、前記ブレードが前記第１ロック位置に配置されている場合に前記第１係合部材と対応する位置に配置され、前記第１係合部材を進入させることによって前記第１係合部材を移動可能とし、
前記第２切欠部は、前記ブレードが前記第３ロック位置に配置されている場合に前記第２係合部材と対応する位置に配置され、前記第２係合部材を進入させることによって前記第２係合部材を移動可能とする、請求項２に記載のロック機構。
【請求項４】
前記第１当接部及び前記第１切欠部は、前記ブレードの一端に形成され、
前記第２当接部及び前記第２切欠部は、前記ブレードの他端に形成されている、請求項３に記載のロック機構。
【請求項５】
前記第１当接部及び前記第１切欠部は、前記所定方向において隣り合うように形成され、
前記第２当接部及び前記第２切欠部は、前記所定方向において隣り合うように形成されている、請求項４に記載のロック機構。
【請求項６】
前記ブレードは、前記所定方向に延びる長孔が形成され、
前記操作部材は、前記所定方向と交差する方向に延びて前記長孔の内部に配置される軸部を有し、
前記長孔は、幅広部と、前記所定方向において該幅広部と連続し幅寸法が該幅広部よりも小さい幅狭部と、を有し、
前記軸部は、大径部と、該大径部と連続し径寸法が該大径部よりも小さい小径部と、を有し、
前記大径部の径寸法は、前記幅広部の幅寸法よりも小さく、且つ、前記幅狭部の幅寸法よりも大きく、
前記小径部の径寸法は、前記幅狭部の幅寸法よりも小さく、
前記ブレードは、
前記大径部が前記幅広部の内部に配置されることによって、前記第１ロック位置と前記第２ロック位置との間で移動可能であり、
前記小径部が前記幅狭部の内部に配置されることによって、前記第３ロック位置に移動可能となるように構成されている、請求項１から５のいずれか一項に記載のロック機構。
【請求項７】
前記ブレードは、平板形状を呈し、
前記長孔は、前記ブレードの厚さ方向に貫通している、
請求項６に記載のロック機構。
【発明の詳細な説明】
【技術分野】
【０００１】
本発明は、第１ロック対象及び第２ロック対象をロックするロック機構に関する。
【背景技術】
【０００２】
従来のロック機構として、特許文献１記載のものが知られている。当該ロック機構は、管理者からユーザに貸与されるレンタル用自転車のリングロックに取り付けられている。当該ロック機構は、モータやウォームギア等の機械要素を備えている。モータの駆動に伴ってウォームギアが回転すると、リングロックの円弧形状の部材が移動し、自転車の車輪のスポークの間を挿通する。円弧形状部材がこの状態でロックされることにより、車輪が回転不能となる。
【０００３】
特許文献１記載のロック機構は、円弧形状部材の他に、モータに給電する電池もロックする。詳細には、当該ロック機構は、電池を覆う蓋をロック可能であり、円弧形状部材のロックを解除している場合のみ当該蓋のロックを解除し、蓋を開閉可能とするように構成されている。したがって、自転車が駐輪され、車輪が回転不能となっている場合は、電池の取り出しを行うことができない。これにより、悪意ある第三者により駐輪中の自転車から電池が取り出されてしまうことを防止できる。
【先行技術文献】
【特許文献】
【０００４】
【特許文献１】特開２０１５−１１３６８６号公報
【発明の概要】
【発明が解決しようとする課題】
【０００５】
特許文献１記載のロック機構によれば、円弧形状部材と蓋のロックとは、同時に解除される。このため、自転車の走行時に振動によって蓋が開いてしまい、電池が脱落しまうおそれがある。
【０００６】
このような複数の対象（円弧形状部材、蓋）をロックするロック機構においては、あるロック対象のロックを解除している状態でも、他のロック対象のロックを維持することが好ましい場合もある（以下、ロック機構によりロックされる対象を「ロック対象」という。）。また、特定のロック対象のロックについては、限られた条件でのみ、解除を可能にしたい場合もある。
【０００７】
このような要求を満たす手段として、通常時は特定のロック対象のロック解除を規制する一方で、所定の操作を受け付けた場合のみそのロック解除を可能とするように、ロック機構を構成することが考えられる。しかしながら、このようなロック機構は構成が複雑なものになり易く、製造コストの増大を招くという課題があった。
【０００８】
本発明はこのような課題に鑑みてなされたものであり、その目的は、簡易な構成ながらも、特定のロック対象のロック解除を規制することが可能なロック機構を提供することにある。
【課題を解決するための手段】
【０００９】
上記課題を解決するために、本発明は、第１ロック対象及び第２ロック対象をロックするロック機構であって、入力に基づいて所定方向に移動するブレードと、第１ロック対象と係合し、第１ロック対象から離れるように移動することによって係合を解除する第１係合部材と、第２ロック対象と係合し、第２ロック対象から離れるように移動することによって係合を解除する第２係合部材と、外部からの操作を受け付ける操作部材と、を備える。ブレードは、所定方向において互いに離間した第１ロック位置、第２ロック位置及び第３ロック位置に配置可能である。また、ブレードは、第１ロック位置に配置されている場合は、第１係合部材を移動可能とすることによって第１ロック対象のロックを解除可能とするとともに、第２係合部材の移動を規制することによって第２ロック対象をロックし、第２ロック位置に配置されている場合は、第１係合部材及び第２係合部材の移動を規制することによって第１ロック対象及び第２ロック対象をロックし、第３ロック位置に配置されている場合は、第１係合部材の移動を規制することによって第１ロック対象をロックするとともに、第２係合部材を移動可能とすることによって第２ロック対象のロックを解除可能とするように構成される。操作部材は、操作を受け付けていない場合は、第３ロック位置へのブレードの移動を規制し、操作を受け付けた場合は、第３ロック位置へのブレードの移動の規制を解除する。
【００１０】
上記構成によれば、ブレードを移動させ、その位置を変更することにより、第１ロック対象及び第２ロック対象のロック状態を変更することができる。具体的には、ブレードが第１ロック位置に配置されている場合は、第２ロック対象のみがロックされた状態となる。また、ブレードが第２ロック位置に配置されている場合は、第１ロック対象及び第２ロック対象の双方がロックされた状態となる。また、ブレードが第３ロック位置に配置されている場合は、第１ロック対象のみがロックされた状態となる。
【００１１】
さらに、操作部材は、操作を受け付けていない場合は、第３ロック位置へのブレードの移動を規制する一方で、操作を受け付けた場合は、第３ロック位置へのブレードの移動の規制を解除する。この構成によれば、操作部材が操作を受け付けていない場合に、第２ロック対象のロック解除を規制することができる。つまり、ブレードの移動を規制するという簡易な構成により、第２ロック対象のロック解除を規制することができる。
【００１２】
また、ブレードは、第１当接部及び第２当接部が形成され、第１当接部は、ブレードが第２ロック位置に配置されている場合及び第３ロック位置に配置されている場合に、第１係合部材と当接することによって第１係合部材の移動を規制し、第２当接部は、ブレードが第１ロック位置に配置されている場合及び第２ロック位置に配置されている場合に、第２係合部材と当接することによって第２係合部材の移動を規制することも好ましい。
【００１３】
上記構成によれば、第１係合部材や第２係合部材と当接する部位をブレードに設けることにより、第１係合部材や第２係合部材の移動を規制することができる。これにより、更に簡易な構成により、第２ロック対象のロック解除を規制することが可能となる。
【００１４】
また、ブレードは、第１切欠部及び第２切欠部が形成され、第１切欠部は、ブレードが第１ロック位置に配置されている場合に第１係合部材と対応する位置に配置され、第１係合部材を進入させることによって第１係合部材を移動可能とし、第２切欠部は、ブレードが第３ロック位置に配置されている場合に第２係合部材と対応する位置に配置され、第２係合部材を進入させることによって第２係合部材を移動可能にすることも好ましい。
【００１５】
上記構成によれば、第１当接部や第２当接部を当接させることによって第１係合部材や第２係合部材の移動を規制する一方で、第１係合部材や第２係合部材が進入可能な切欠部をブレードに設けることにより、第１係合部材や第２係合部材を移動させることができる。これにより、更に簡易な構成により、第２ロック対象のロック解除を規制することが可能となる。
【００１６】
また、第１当接部及び第１切欠部は、ブレードの一端に形成され、第２当接部及び第２切欠部は、ブレードの他端に形成されていることも好ましい。
【００１７】
仮に、第１当接部、第１切欠部、第２当接部及び第２切欠部の全てをブレードの一端に配置した場合、ブレードが所定方向に大型化するおそれがある。これに対し、上記構成では、ブレードの一端に第１当接部及び第１切欠部が形成され、ブレードの他端に第２当接部及び第２切欠部が形成されている。この構成によれば、ブレードの所定方向への大型化を抑制しながらも、第１係合部材や第２係合部材が移動可能な状態と、その移動が規制された状態と、を切り替えることが可能になる。
【００１８】
また、第１当接部及び第１切欠部は、所定方向において隣り合うように形成され、第２当接部及び第２切欠部は、所定方向において隣り合うように形成されていることも好ましい。
【００１９】
上記構成によれば、ブレードを所定方向に移動させることにより、第１係合部材や第２係合部材が移動可能な状態と、その移動が規制された状態と、を容易に切り替えることが可能になる。
【００２０】
また、ブレードは、所定方向に延びる長孔が形成され、操作部材は、所定方向と交差する方向に延びて長孔の内部に配置される軸部を有し、長孔は、幅広部と、所定方向において該幅広部と連続し幅寸法が該幅広部よりも小さい幅狭部と、を有し、軸部は、大径部と、該大径部と連続し径寸法が該大径部よりも小さい小径部と、を有し、大径部の径寸法は、幅広部の幅寸法よりも小さく、且つ、幅狭部の幅寸法よりも大きく、小径部の径寸法は、幅狭部の幅寸法よりも小さく、ブレードは、大径部が幅広部に配置されることによって、第１ロック位置と第２ロック位置との間で移動可能であり、小径部が幅狭部に配置されることによって、第３ロック位置に移動可能となるように構成されていることも好ましい。
【００２１】
上記構成では、操作部材の軸部は、大径部と小径部とを有している。大径部の幅寸法は、ブレードに形成された長孔の幅広部よりも小さく、且つ、幅狭部の幅寸法よりも大きい。したがって、軸部の大径部を長孔の幅広部の内部に配置することにより、幅広部が形成されている範囲においてブレードを移動させ、第１ロック位置及び第２ロック位置に配置することができる。一方、幅狭部が形成されている範囲には、ブレードが移動できないように規制することが可能になる。
【００２２】
上記構成では、さらに、ブレードは、小径部が幅狭部の内部に配置されることによって、第３ロック位置に移動可能となるように構成されている。この構成によれば、所定方向と交差する方向に軸部を移動させ、小径部を長孔の内部に配置することにより、ブレードを第３ロック位置に移動させることが可能になる。
【００２３】
また、ブレードは、平板形状を呈し、長孔は、ブレードの厚さ方向に貫通していることも好ましい。
【００２４】
上記構成によれば、ブレードを貫通している長孔に、操作部材の軸部を挿通させることにより、軸部が有する大径部と小径部とを長孔の内部に配置することが可能になる。長孔が貫通する方向は、平板形状を呈するブレードの厚さ方向である。したがって、長孔２１１は容易に形成することが可能である。
【発明の効果】
【００２５】
本発明によれば、簡易な構成ながらも、特定のロック対象のロック解除を規制することが可能なロック機構を提供することができる。
【図面の簡単な説明】
【００２６】
【図１】実施形態に係るロック機構を搭載したワイヤロック装置の斜視図である。
【図２】ワイヤロック装置の斜視図である。
【図３】ロック機構の斜視図である。
【図４】操作部材の斜視図である。
【図５】ロック機構の斜視図である。
【図６】長孔の拡大図である。
【図７】長孔の拡大図である。
【図８】ロック機構の斜視図である。
【図９】長孔の拡大図である。
【図１０】長孔の拡大図である。
【図１１】ロック機構の斜視図である。
【図１２】ロック機構の斜視図である。
【発明を実施するための形態】
【００２７】
以下、添付図面を参照しながら実施形態について説明する。説明の理解を容易にするため、各図面において同一の構成要素に対しては可能な限り同一の符号を付して、重複する説明は省略する。
【００２８】
まず、図１及び図２を参照しながら、実施形態に係るロック機構１（図１及び図２では図示せず）を搭載したワイヤロック装置１００の概要を説明する。図１は、ワイヤロック装置１００の斜視図であり、ワイヤロック装置１００の正面側を示している。図２は、ワイヤロック装置１００の斜視図であり、ワイヤロック装置１００の背面側を示している。
【００２９】
ワイヤロック装置１００は、管理者からユーザに貸与される自転車に取り付けられ、当該自転車の駐輪中に、後輪を回転不能にする装置である。ワイヤロック装置１００は、本体１１０と、取付部１２０と、ワイヤ１３０と、太陽電池１４０と、バッテリーボックス１５０と、を備えている。
【００３０】
本体１１０は、ワイヤロック装置１００の筐体である。本体１１０の外側面は、樹脂製のケースによって構成されている。当該ケースの内部には、後述するロック機構１等、複数の部品が収容されている。本体１１０は、前面視で略矩形を呈しているとともに、その幅寸法及び高さ寸法に対して厚さ寸法が小さい扁平形状を呈している。図２に示されるように、本体１１０の下面には、孔１１１が形成されている。
【００３１】
尚、理解を容易にするため、図１及び図２に示されるように、本体１１０の幅方向を左右方向とし、本体１１０の厚さ方向を前後方向とし、本体１１０の高さ方向を上下方向とする直交座標を用いて説明する。図３以降においても、当該直交座標と対応する座標が示される。
【００３２】
取付部１２０は、本体１１０の前面に固定されている。取付部１２０は、その一部が環状に形成されている。取付部１２０は、当該環状部分が自転車のサドルの支柱やフレームを包囲することにより、それらに対して固定される。
【００３３】
ワイヤ１３０は、柔軟性を有する紐状の部材である。図２に示されるように、ワイヤ１３０は、その一端が本体１１０の下端に固定される。ワイヤ１３０の他端には、第１ロック対象の例であるプラグ１３１が設けられている。プラグ１３１は略円柱形状を呈している。プラグ１３１の先端部１３２は半球形状を呈しており、先端部１３２から離間した位置に環状溝１３３が形成されている。
【００３４】
太陽電池１４０は、太陽光の光エネルギに基づいて電力を発生させる機器である。太陽電池１４０は、本体１１０の後面に配置されている。太陽電池１４０が発生させた電力は、後述するモータ３０の駆動に用いられる。
【００３５】
バッテリーボックス１５０は、第２ロック対象の例である。バッテリーボックス１５０の外側面は、樹脂製のケースによって構成されている。当該ケースの内部には、二次電池が収容されている。バッテリーボックス１５０から供給される電力は、後述する通信部７の動作に使用される。
【００３６】
バッテリーボックス１５０は、本体１１０に対して係脱可能に構成されている。バッテリーボックス１５０を本体１１０に対して下方に移動させることにより、本体１１０から取り外すことができる。本体１１０から取り外されたバッテリーボックス１５０は、不図示の充電器にセットされることにより、二次電池の蓄電量を回復させることができる。
【００３７】
以上の説明のように構成されたワイヤロック装置１００は、取付部１２０がサドルの支柱等に対して固定されることにより、自転車の後輪付近に取り付けられる。自転車の駐輪中は、ワイヤ１３０は後輪のスポークの間を挿通するように配置され、プラグ１３１が本体１１０の孔１１１に挿入される。プラグ１３１は、後述するロック機構１によってロックされ、孔１１１から抜けない状態となる。これにより、自転車の後輪の回転がワイヤ１３０によって妨げられる。
【００３８】
次に、図３及び図４を参照しながら、ワイヤロック装置１００に搭載されたロック機構１の概要について説明する。図３は、ロック機構１の斜視図であり、ロック機構１の構成のうち主要なものを示している。図４は、ロック機構１の操作部材８の斜視図である。
【００３９】
図３に示されるように、ロック機構１は、ブレード２と、第１係合部材３と、第２係合部材４と、モータ５と、制御部６と、通信部７と、操作部材８と、を備えている。
【００４０】
ブレード２は、金属材料によって形成され、所定の剛性を有する部材である。ブレード２は、上下方向に移動可能に配置されている。
【００４１】
また、ブレード２は、上板２１及び下板２２を有している。上板２１及び下板２２は、いずれも前後方向を厚さ方向とするとともに、上下方向に延びる平板形状を呈している。また、ブレード２は、上板２１と下板２２との間に中間板２３を有している。
【００４２】
上板２１には長孔２１１が形成されている。長孔２１１は、上下方向に延びるとともに、上板２１を前後方向に貫通している。長孔２１１は、幅広部２１２と、幅広部２１２よりも幅寸法（つまり、左右方向寸法）が小さい幅狭部２１３と、を有している。幅広部２１２は、上板２１のうち、幅広部２１２よりも下板２２寄りの部位に形成されている。幅狭部２１３は、幅広部２１２の上端と連結している。
【００４３】
下板２２は、上板２１から前方にオフセットした位置に配置されている。下板２２は、第１当接部２２１、第１切欠部２２２、第２当接部２２３及び第２切欠部２２４が形成されている。第１当接部２２１及び第１切欠部２２２は下板２２の右端に形成され、第２当接部２２３及び第２切欠部２２４は下板２２の左端に形成されている。第１当接部２２１及び第２当接部２２３はいずれも平坦面であり、上下方向に延びるように形成されている。第１切欠部２２２は、上下方向において第１当接部２２１と隣り合うとともに、下板２２の下端を切り欠くように形成されている。第２切欠部２２４は、上下方向において第２当接部２２３と隣り合うとともに、第１切欠部２２２よりも上板２１寄りの部位を切り欠くように形成されている。
【００４４】
中間板２３は、前後方向に延び、上板２１の下端と、下板２２の上端と、を連結している。中間板２３の右端は厚肉に形成されており、当該部分には溝部２３１が形成されている。溝部２３１は、前後方向に延びるように形成されている。
【００４５】
第１係合部材３は、金属材料によって形成された部材であり、その右端は楔形を呈している。第１係合部材３は、前述した本体１１０の内部であって、且つ、孔１１１（図２参照）の上方に配置されている。第１係合部材３は所定範囲において左右方向に移動可能であり、不図示のばねによって右方に付勢されている。図３は、ばねによって付勢された第１係合部材３が、当該所定範囲の右端で静止した状態を示している。
【００４６】
第２係合部材４は、金属材料によって形成された部材であり、その左端は楔形を呈している。第２係合部材４は、前述した本体１１０の内部であって、且つ、右方に配置されたバッテリーボックス１５０と対応する位置に配置されている。第２係合部材４は所定範囲において左右方向に移動可能であり、不図示のばねによって左方に付勢されている。
【００４７】
モータ５は、受信した制御信号に基づいて駆動する三相交流モータである。モータ５の出力軸には、クランク部材５１が接続されている。クランク部材５１の端部５２は、モータ５の出力軸からオフセットした位置に配置されており、ブレード２の溝部２３１内に配置されている。
【００４８】
制御部６は、太陽電池１４０から供給される電力によって動作し、所定の演算を実行する機能部である。制御部６はモータ５及び通信部７と接続されており、通信部７から信号を受信するとともに、モータ５に制御信号を送信する。通信部７は、自転車の管理者やユーザが有する携帯端末（例えば、スマートフォン等。不図示。）との通信を行う機能部である。通信部７は、当該通信によって携帯端末から所定の情報を取得する。
【００４９】
操作部材８は、後述するように、バッテリーボックス１５０を本体１１０から取り外す際に操作される部材である。操作部材８は、ボタン８１と、軸部８２と、を有している。ボタン８１は、前面視で略円形状を呈している。
【００５０】
軸部８２は、ボタン８１の後端から後方に向かって延びており、ブレード２の長孔２１１を挿通している。軸部８２は、略円柱形状を呈する小径部８２ａ及び大径部８２ｂを有している。大径部８２ｂの径寸法は、長孔２１１の幅広部２１２の幅寸法よりも小さく、且つ、幅狭部２１３の幅寸法よりも大きい。また、小径部８２ａの径寸法は、幅狭部２１３の幅寸法よりも小さい。
【００５１】
ボタン８１は、不図示のばねによって前方に付勢され、図２に示されるように、本体１１０の前面に開設された穴から臨出している。ボタン８１は外部から押されるにより、ばねを圧縮しながら、軸部８２とともに後方へと移動することができる。
【００５２】
通信部７は、携帯端末との通信に基づいて情報を取得すると、当該情報に対応する信号を生成し、当該信号を制御部６に送信する。通信部７から信号を受信した制御部６は、当該信号に基づいて所定の演算を実行する。さらに、制御部６は、当該演算の結果に基づいて制御信号を生成し、モータ５に送信する。
【００５３】
制御部６から制御信号を受信したモータ５は、当該制御信号に基づいて、矢印Ｒ１，Ｒ２によって示される方向の一方にクランク部材５１を回転させる。クランク部材５１が回転すると、ブレード２は、その溝部２３１においてクランク部材５１の端部５２から上方又は下方に力を受けて移動する。
【００５４】
ブレード２は、上下方向に互いに離間した第１ロック位置、第２ロック位置及び第３ロック位置に配置され得る。図３は、ブレード２が第１ロック位置に配置された状態を示している。第２ロック位置及び第３ロック位置については後述する。
【００５５】
次に、図５から図１２を参照しながら、ロック機構１の動作について説明する。
【００５６】
［第１ロック位置］
図５は、ブレード２が第１ロック位置に配置された状態におけるロック機構１の斜視図である。図６は、ブレード２が第１ロック位置に配置された状態における長孔２１１の拡大図である。
【００５７】
ブレード２が第１ロック位置に配置された状態では、図６に示されるように、操作部材８の大径部８２ｂが、長孔２１１の幅広部２１２内に配置されている。また、当該大径部８２ｂは、幅広部２１２の下端と当接している。
【００５８】
図５に示される状態では、第１係合部材３の右端がプラグ１３１の環状溝１３３内に配置されることにより、プラグ１３１と第１係合部材３とが係合している。前述したように、第１係合部材３の右端は楔形を呈している。このため、プラグ１３１を下方に引くと、第１係合部材３は、プラグ１３１の先端部１３２によって左方に押され、ばねを圧縮しながら破線３Ｓで示すように移動する。つまり、第１係合部材３は、ブレード２の第１切欠部２２２に進入することによって左方に移動することができる。
【００５９】
先端部１３２が第１係合部材３の右端よりも下方に移動すると、第１係合部材３はばねの復元力によって右方に移動し、第１切欠部２２２から退出する。これにより、プラグ１３１と第１係合部材３との係合が解除され、プラグ１３１を本体１１０の孔１１１（図２参照）内から排出することができる。
【００６０】
一方、ブレード２が第１ロック位置に配置された状態において、プラグ１３１を外部から本体１１０の孔１１１に挿入すると、当該プラグ１３１の先端部１３２と、第１係合部材３の右端とが干渉する。前述したように、先端部１３２は半球形状を呈している。このため、ブレード２をさらに孔１１１内に進入させると、第１係合部材３は先端部１３２から左方に力を受け、ばねを圧縮しながら破線３Ｓで示すように移動する。
【００６１】
先端部１３２が第１係合部材３の右端よりも上方に移動すると、第１係合部材３はばねの復元力によって右方に移動し、第１切欠部２２２から退出する。右方に移動した第１係合部材３の右端は、プラグ１３１の環状溝１３３内に配置される。これにより、本体１１０の孔１１１に挿入したプラグ１３１を、第１係合部材３と係合させることができる。
【００６２】
これに対し、第２係合部材４は、その左端がバッテリーボックス１５０の溝１５１内に配置されることにより、バッテリーボックス１５０と係合している。前述したように、第２係合部材４の左端は楔形を呈している。したがって、バッテリーボックス１５０に対して下方に力を加えると、バッテリーボックス１５０の溝１５１の縁と、第２係合部材４の左端とが干渉し、第２係合部材４は右方に力を受ける。
【００６３】
しかしながら、第２係合部材４の右端はブレード２の第２当接部２２３と当接している。このため、第２係合部材４の右方への移動が規制される。この結果、バッテリーボックス１５０と第２係合部材４との係合が維持され、バッテリーボックス１５０がロックされた状態となる。
【００６４】
以上の説明のように、ブレード２が第１ロック位置に配置された状態では、プラグ１３１のロックの解除（つまり、プラグ１３１と第１係合部材３との係脱）と、バッテリーボックス１５０のロックと、が可能である。
【００６５】
［第１ロック位置から第２ロック位置への移動］
プラグ１３１をロックする場合、自転車のユーザや管理者は、プラグ１３１を第１係合部材３と係合させた状態で、不図示の携帯端末によって通信部７との通信を行う。具体的には、携帯端末からロック指令を通信部７に送信する。通信部７は、ロック指令に対応する信号を生成するとともに、当該信号を制御部６に送信する。
【００６６】
通信部７から信号を受信した制御部６は、モータ５に制御信号を送信し、クランク部材５１を矢印Ｒ１（図３参照）で示される方向に回転させる。ブレード２はクランク部材５１の端部５２から力を受け、下方に移動する。この際、ブレード２は、長孔２１１の幅広部２１２内に配置された操作部材８の大径部８２ｂにより、左右方向への移動が規制されている。
【００６７】
図７は、移動したブレード２が第２ロック位置に配置された状態における長孔２１１の拡大図である。ブレード２が第２ロック位置に配置されると、大径部８２ｂは、長孔２１１の幅広部２１２の上端と当接した状態となる。前述したように、大径部８２ｂの径寸法は幅狭部２１３の幅寸法よりも大きいため、大径部８２ｂは幅狭部２１３内に進入できず、モータ５は駆動不能となる。この状態で制御部６が更にモータ５に制御信号を送信すると、モータ５において過電流が発生する。制御部６は、この過電流の発生に基づいてモータ５への制御信号の送信を停止する。この結果、ブレード２が第２ロック位置で停止する。
【００６８】
［第２ロック位置］
図８は、ブレード２が第２ロック位置に配置された状態におけるロック機構１の斜視図である。第１係合部材３の右端がプラグ１３１の環状溝１３３内に配置されることにより、プラグ１３１と第１係合部材３とが係合している。
【００６９】
また、第１係合部材３の左端は、ブレード２の第１当接部２２１と当接している。したがって、プラグ１３１を下方に引くことによって第１係合部材３が左方に押されても、第１係合部材３の左方への移動が規制される。この結果、プラグ１３１と第１係合部材３との係合が維持され、プラグ１３１がロックされた状態となる。つまり、プラグ１３１が孔１１１（図２参照）から抜けなくなる。
【００７０】
一方、第２係合部材４は、ブレード２が第１ロック位置に配置されている場合と同様に、その左端がバッテリーボックス１５０の溝１５１内に配置され、右端がブレード２の第２当接部２２３と当接している。この結果、バッテリーボックス１５０がロックされた状態が維持される。
【００７１】
以上の説明のように、ブレード２が第２ロック位置に配置された状態では、プラグ１３１及びバッテリーボックス１５０の双方のロックが可能である。
【００７２】
［第２ロック位置から第３ロック位置への移動］
バッテリーボックス１５０のロックを解除する場合、自転車の管理者は、操作部材８を操作しながら、不図示の携帯端末によって通信部７との通信を行う。具体的には、操作部材８のボタン８１を後方に押しながら、携帯端末からロック解除指令を通信部７に送信する。
【００７３】
図９は、ボタン８１が押された状態における長孔２１１の拡大図である。軸部８２がボタン８１とともに後方に移動すると、その大径部８２ｂが長孔２１１の幅広部２１２内から退出し、小径部８２ａが幅広部２１２内に配置される。前述したように、小径部８２ａの径寸法は、幅狭部２１３の幅寸法よりも小さい。
【００７４】
尚、バッテリーボックス１５０の取り外しは、自転車のユーザは行うことができず、管理者のみが行えるよう設定されている。つまり、前述したロック解除指令の送信は、ユーザの携帯端末では行えず、管理者の携帯端末のみで行うことができる。通信部７は、管理者の携帯端末から受信したロック解除指令に対応する信号を生成するとともに、当該信号を制御部６に送信する。
【００７５】
通信部７から信号を受信した制御部６は、モータ５に制御信号を送信し、クランク部材５１を矢印Ｒ１（図３参照）で示される方向に回転させる。ブレード２はクランク部材５１の端部５２から力を受け、下方に移動する。この際、ブレード２は、長孔２１１の幅狭部２１３内に、軸部８２の小径部８２ａを進入させるように移動する。
【００７６】
図１０は、移動したブレード２が第３ロック位置に配置された状態における長孔２１１の拡大図である。ブレード２が第３ロック位置に配置されると、小径部８２ａは、長孔２１１の幅狭部２１３の上端と当接した状態となる、このため、モータ５は駆動不能となる。この状態で制御部６が更にモータ５に制御信号を送信すると、モータ５において過電流が発生する。制御部６は、この過電流の発生に基づいてモータ５への制御信号の送信を停止する。この結果、ブレード２が第３ロック位置で停止する。
【００７７】
［第３ロック位置］
図１１は、ブレード２が第３ロック位置に配置された状態におけるロック機構１の斜視図である。第１係合部材３の右端がプラグ１３１の環状溝１３３内に配置されることにより、プラグ１３１と第１係合部材３とが係合している。
【００７８】
また、第１係合部材３の左端は、ブレード２の第１当接部２２１と当接している。したがって、プラグ１３１を下方に引くことによって第１係合部材３が左方に押されても、第１係合部材３の左方への移動が規制される。この結果、プラグ１３１と第１係合部材３との係合が維持され、プラグ１３１がロックされた状態となる。つまり、プラグ１３１が孔１１１（図２参照）から抜けない状態が維持される。
【００７９】
一方、第２係合部材４は、ブレード２の下方への移動により、第２当接部２２３との当接が解除されている。第２係合部材４と対応する位置には、ブレード２の第２切欠部２２４が配置されている。
【００８０】
前述したように、第２係合部材４の左端は楔形を呈している。このため、バッテリーボックス１５０を下方に引くと、第２係合部材４は、バッテリーボックス１５０の溝１５１の縁によって右方に押され、ばねを圧縮しながら破線４Ｓで示すように移動する。つまり、第２係合部材４は、ブレード２の第２切欠部２２４に進入することによって右方に移動することができる。
【００８１】
バッテリーボックス１５０の溝１５１が、第２係合部材４の左端よりも下方に移動すると、第２係合部材４が溝１５１から退出し、バッテリーボックス１５０と第２係合部材４との係合が解除される。図１２は、この状態を示すロック機構１の斜視図である。バッテリーボックス１５０と第２係合部材との係合が解除されると、バッテリーボックス１５０のロックが解除され、本体１１０（図１２では不図示）から取り外すことができる。
【００８２】
以上の説明のように、ブレード２が第３ロック位置に配置された状態では、プラグ１３１のロックと、バッテリーボックス１５０のロックの解除（つまり、バッテリーボックス１５０と第２係合部材４との係脱）と、が可能である。
【００８３】
次に、ロック機構１が奏する作用効果について説明する。
【００８４】
上記構成によれば、ブレード２を移動させ、その位置を変更することにより、第１ロック対象であるプラグ１３１、及び、第２ロック対象であるバッテリーボックス１５０のロック状態を変更することができる。具体的には、ブレード２が第１ロック位置に配置されている場合は、プラグ１３１のみがロックされた状態となる。また、ブレード２が第２ロック位置に配置されている場合は、プラグ１３１及びバッテリーボックス１５０の双方がロックされた状態となる。また、ブレード２が第３ロック位置に配置されている場合は、プラグ１３１のみがロックされた状態となる。
【００８５】
さらに、操作部材８は、操作を受け付けていない場合は、第３ロック位置へのブレード２の移動を規制する一方で、操作を受け付けた場合は、第３ロック位置へのブレード２の移動の規制を解除する。この構成によれば、操作部材８が操作を受け付けていない場合に、バッテリーボックス１５０のロック解除を規制することができる。つまり、ブレード２の移動を規制するという簡易な構成により、バッテリーボックス１５０のロック解除を規制することができる。
【００８６】
また、ブレード２は、第１当接部２２１及び第２当接部２２３が形成されている。第１当接部２２１は、ブレード２が第２ロック位置に配置されている場合及び第３ロック位置に配置されている場合に、第１係合部材３と当接することによって第１係合部材３の移動を規制する。第２当接部２２３は、ブレード２が第１ロック位置に配置されている場合及び第２ロック位置に配置されている場合に、第２係合部材４と当接することによって第２係合部材４の移動を規制する。
【００８７】
上記構成によれば、第１係合部材３や第２係合部材４と当接する部位をブレード２に設けることにより、第１係合部材３や第２係合部材４の移動を規制することができる。これにより、更に簡易な構成により、バッテリーボックス１５０のロック解除を規制することが可能となる。
【００８８】
また、ブレード２は、第１切欠部２２２及び第２切欠部２２４が形成されている。第１切欠部２２２は、ブレード２が第１ロック位置に配置されている場合に第１係合部材３と対応する位置に配置され、第１係合部材３を進入させることによって第１係合部材３を移動可能とする。第２切欠部２２４は、ブレード２が第３ロック位置に配置されている場合に第２係合部材４と対応する位置に配置され、第２係合部材４を進入させることによって第２係合部材４を移動可能とする。
【００８９】
上記構成によれば、第１当接部２２１や第２当接部２２３を当接させることによって第１係合部材３や第２係合部材４の移動を規制する一方で、第１係合部材３や第２係合部材４が進入可能な切欠部をブレード２に設けることにより、第１係合部材３や第２係合部材４を移動させることができる。これにより、更に簡易な構成により、バッテリーボックス１５０のロック解除を規制することが可能となる。
【００９０】
また、第１当接部２２１及び第１切欠部２２２は、ブレード２の右端に形成され、第２当接部２２３及び第２切欠部２２４は、ブレード２の左端に形成されている。
【００９１】
仮に、第１当接部２２１、第１切欠部２２２、第２当接部２２３及び第２切欠部２２４の全てをブレード２の右端に配置した場合、ブレード２が上下方向に大型化するおそれがある。これに対し、上記構成では、ブレード２の右端に第１当接部２２１及び第１切欠部２２２が形成され、ブレード２の左端に第２当接部２２３及び第２切欠部２２４が形成されている。この構成によれば、ブレード２の上下方向への大型化を抑制しながらも、第１係合部材３や第２係合部材４が移動可能な状態と、その移動が規制された状態と、を切り替えることが可能になる。
【００９２】
また、第１当接部２２１及び第１切欠部２２２は、上下方向において隣り合うように形成されている。第２当接部２２３及び第２切欠部２２４は、上下方向において隣り合うように形成されている。
【００９３】
上記構成によれば、ブレード２を上下方向に移動させることにより、第１係合部材３や第２係合部材４が移動可能な状態と、その移動が規制された状態と、を容易に切り替えることが可能になる。
【００９４】
また、ブレード２は、上下方向に延びる長孔２１１が形成されている。操作部材８は、前後方向（つまり、上下方向と交差する方向。）に延びて長孔２１１の内部に配置される軸部を有する。長孔２１１は、幅広部２１２と、上下方向において幅広部２１２と連続し幅寸法が幅広部２１２よりも小さい幅狭部２１３と、を有する。軸部８２は、大径部８２ｂと、大径部８２ｂと連続し径寸法が大径部８２ｂよりも小さい小径部８２ａと、を有する。大径部８２ｂの径寸法は、幅広部２１２の幅寸法よりも小さく、且つ、幅狭部２１３の幅寸法よりも大きい。小径部８２ａの径寸法は、幅狭部２１３の幅寸法よりも小さい。ブレード２は、大径部８２ｂが幅広部２１２に配置されることによって、第１ロック位置と第２ロック位置との間で移動可能であり、小径部８２ａが幅狭部２１３に配置されることによって、第３ロック位置に移動可能となるように構成されている。
【００９５】
上記構成では、操作部材８の軸部８２は、大径部８２ｂと小径部８２ａとを有している。大径部８２ｂの幅寸法は、ブレード２に形成された長孔２１１の幅広部２１２よりも小さく、且つ、幅狭部２１３の幅寸法よりも大きい。したがって、軸部８２の大径部８２ｂを長孔２１１の幅広部２１２内に配置することにより、幅広部２１２が形成されている範囲においてブレード２を移動させ、第１ロック位置と第２ロック位置に配置することができる。一方、幅狭部２１３が形成されている範囲には、ブレード２が移動できないように規制することが可能になる。
【００９６】
上記構成では、さらに、ブレード２は、小径部８２ａが幅狭部２１３内に配置されることによって、第３ロック位置に移動可能となるように構成されている。この構成によれば、前後方向に軸部８２を移動させ、小径部８２ａを長孔２１１内に配置することにより、ブレード２を第３ロック位置に移動させることが可能になる。
【００９７】
また、ブレード２は、平板形状を呈している。長孔２１１は、ブレード２の厚さ方向に貫通している。
【００９８】
上記構成によれば、ブレード２を貫通している長孔２１１に、操作部材８の軸部８２を挿通させることにより、軸部８２が有する大径部８２ｂと小径部８２ａとを長孔２１１内に配置することが可能になる。長孔２１１が貫通する方向は、平板形状を呈するブレード２の厚さ方向である。したがって、長孔２１１は容易に形成することが可能である。
【００９９】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【符号の説明】
【０１００】
１  ロック機構
２  ブレード
３  第１係合部材
４  第２係合部材
８  操作部材
８２  軸部
８２ａ  小径部
８２ｂ  大径部
１３１  プラグ（第１ロック対象）
１５０  バッテリーボックス（第２ロック対象）
２１１  長孔
２１２  幅広部
２１３  幅狭部
２２１  第１当接部
２２２  第１切欠部
２２３  第２当接部
２２４  第２切欠部
【図１】
2018131764.tif 000003
【図２】
2018131764.tif 000004
【図３】
2018131764.tif 000005
【図４】
2018131764.tif 000006
【図５】
2018131764.tif 000007
【図６】
2018131764.tif 000008
【図７】
2018131764.tif 000009
【図８】
2018131764.tif 000010
【図９】
2018131764.tif 000011
【図１０】
2018131764.tif 000012
【図１１】
2018131764.tif 000013
【図１２】
2018131764.tif 000014